(57)【特許請求の範囲】
【請求項１】
車両のハンドルバーに固定されるスイッチケースと、
該スイッチケースに配設され、前記車両が搭載する各種電装品を操作し得る複数の操作スイッチノブ又はボタンと、
前記スイッチケース内に固定され、前記操作スイッチノブ又はボタンと対応した固定接点が形成された複数の端子板と、
前記操作スイッチノブ又はボタンと連動して、前記固定接点に接触又は離間する可動接点と、
を具備したハンドルスイッチにおいて、
前記複数の端子板を互いに連結しつつ各端子板に形成された前記固定接点同士を電気的に接続した導電板と、
該導電板の端部で構成され、前記スイッチケースから突設されて、車両側から延設した配線コードの先端に形成されたコネクタと接続し得る外部接続用端子と、
を有し、前記導電板を折り曲げて前記複数の端子板を前記スイッチケース内に収容し、且つ、前記固定接点を有さない連結板が前記導電板を介して前記複数の端子板と連結されるとともに、該連結板に前記外部接続用端子が形成されたことを特徴とするハンドルスイッチ。
【請求項２】
前記導電板は、１枚の導電性板材をトリミングして所定形状とされたものであり、前記固定接点に対応する部分を露出させつつインサート成形して前記各端子板が形成されたものであることを特徴とする請求項１記載のハンドルスイッチ。
【請求項３】
前記外部接続用端子が形成された前記端子板を複数設け、それぞれから突設された外部接続用端子を組み合わせた状態で前記コネクタと接続し得ることを特徴とする請求項１又は請求項２記載のハンドルスイッチ。
【請求項４】
前記導電板を略コ字状に折り曲げて、前記複数の端子板を前記スイッチケース内に収容したことを特徴とする請求項１〜請求項３のいずれか１つに記載のハンドルスイッチ。
【請求項５】
前記複数の端子板は、ディマースイッチノブに対応した固定接点を有した第１端子板、パッシングスイッチノブに対応した固定接点を有した第２端子板、ホーンスイッチボタンに対応した固定接点を有した第３端子板、及びターンシグナルスイッチノブに対応した固定接点を有した第４端子板から成り、当該第１端子板が前記スイッチケースの上側、前記第２端子板が前記スイッチケースの前側、前記第３端子板及び前記第４端子板が前記スイッチケースの後ろ側を向いて配設されたことを特徴とする請求項１〜請求項４のいずれか１つに記載のハンドルスイッチ。
【発明の詳細な説明】
【０００１】
【発明の属する技術分野】
本発明は、二輪車など車両のハンドルバーに固定され、当該車両が搭載する各種電装品を操作し得るハンドルスイッチに関する。
【０００２】
【従来の技術】
一般に、二輪車が具備する操舵用のハンドルバー先端には、運転者が走行中把持し得る把持グリップ又はスロットルグリップが取り付けられており、これら把持グリップ又はスロットルグリップに隣接した位置にハンドルスイッチが固定されている。かかるハンドルスイッチは、上下一対の半割り形状部品を合致して成るスイッチケースを筐体としており、該スイッチケースには、二輪車が搭載する各種電装品を操作するための複数の操作スイッチノブ又はボタンが形成されている。
【０００３】
例えば、ハンドルバーの左側先端近傍に固定されたハンドルスイッチには、ディマースイッチを構成するディマースイッチノブ、パッシングスイッチを構成するパッシングスイッチノブ、ターンシグナルスイッチを構成するターンシグナルスイッチノブ、ホーンスイッチを構成するホーンボタンなどが配設されている。これら操作スイッチノブ又はボタンには、可動接点がローラなどを介して連結されており、当該操作スイッチノブ又はボタンの動作と連動して可動接点が動作すると、スイッチケース内に固定された固定接点と接触又は離間して、所定のスイッチ回路が形成されるよう構成されている。
【０００４】
各固定接点は、操作スイッチ毎に各々配設された複数の端子板に形成されており、これら端子板同士をリード線で結んで電気的に連結してスイッチケース内に配設されていたが、この場合、リード線を端子板と接続する構成により、部品点数が多く、リード線を含む配線が複雑になっていた。かかる不具合を解決すべく、本出願人は、リード線を不要とした技術を実開平３−１３６２２号公報で開示している。
【０００５】
同公報によれば、１枚の導電性の板材を所望形状に抜き加工するとともに、可動接点に対応する位置を露出させつつ樹脂をアウトサート成形し、これを各端子板としており、端子板間を結ぶ導電性板材を略コ字状に折り曲げてスイッチケース内に配設したものが開示されている。これにより、リード線を不要としつつ各端子板を電気的及び物理的に連結することができるので、部品点数の削減及び配線の簡素化を図ることができた。また、リード線を不要としたことで、リード線先端と固定接点とを接続するための半田付け作業が廃止され、作業性の向上を図ることができるとともに、近年有害性が注目されるに至っている半田の使用を削減することができた。
【０００６】
【発明が解決しようとする課題】
しかしながら、上記従来のハンドルスイッチにおいては、固定接点を有した端子板同士を電気的及び物理的に連結して半田付けを不要とすることができるものの、車体から延びた配線コードと電気的に連結させるには、その部分で半田付け作業が必要となり、完全には半田を廃止することができなかった。従って、半田付け作業による組み付け作業性の悪化が依然残っているという問題があった。
【０００７】
本発明は、このような事情に鑑みてなされたもので、各端子板の電気的接続における半田を廃止し得るとともに、車両から延設された配線コードと端子板との接続においても半田を廃止することができるハンドルスイッチを提供することにある。
【０００８】
【課題を解決するための手段】
請求項１記載の発明は、車両のハンドルバーに固定されるスイッチケースと、該スイッチケースに配設され、前記車両が搭載する各種電装品を操作し得る複数の操作スイッチノブ又はボタンと、前記スイッチケース内に固定され、前記操作スイッチノブ又はボタンと対応した固定接点が形成された複数の端子板と、前記操作スイッチノブ又はボタンと連動して、前記固定接点に接触又は離間する可動接点とを具備したハンドルスイッチにおいて、前記複数の端子板を互いに連結しつつ各端子板に形成された前記固定接点同士を電気的に接続した導電板と、該導電板の端部で構成され、前記スイッチケースから突設されて、車両側から延設した配線コードの先端に形成されたコネクタと接続し得る外部接続用端子とを有し、前記導電板を折り曲げて前記複数の端子板を前記スイッチケース内に収容し、且つ、前記固定接点を有さない連結板が前記導電板を介して前記複数の端子板と連結されるとともに、該連結板に前記外部接続用端子が形成されたことを特徴とする。
【０００９】
かかる構成によれば、導電板によって電気的及び物理的に連結された複数の端子板が、導電板の所定部分を折り曲げられてスイッチケース内に収容されるとともに、車両への組み付け時において、外部接続用端子に車両から延設した配線コード先端のコネクタを接続する。
【００１０】
請求項２記載の発明は、前記導電板が、１枚の導電性板材をトリミングして所定形状とされたものであり、前記固定接点に対応する部分を露出させつつインサート成形して前記各端子板が形成されたものであることを特徴とする。
【００１２】
請求項３記載の発明は、前記外部接続用端子が形成された前記端子板を複数設け、それぞれから突設された外部接続用端子を組み合わせた状態で前記コネクタと接続し得ることを特徴とする。
【００１３】
請求項４記載の発明は、前記導電板を略コ字状に折り曲げて、前記複数の端子板を前記スイッチケース内に収容したことを特徴とする。
【００１４】
請求項５記載の発明は、前記複数の端子板が、ディマースイッチノブに対応した固定接点を有した第１端子板、パッシングスイッチノブに対応した固定接点を有した第２端子板、ホーンスイッチボタンに対応した固定接点を有した第３端子板、及びターンシグナルスイッチノブに対応した固定接点を有した第４端子板から成り、当該第１端子板が前記スイッチケースの上側、前記第２端子板が前記スイッチケースの前側、前記第３端子板及び前記第４端子板が前記スイッチケースの後ろ側を向いて配設されたことを特徴とする。
【００１５】
尚、上記レイアウトは、スイッチケースをハンドルバーに固定させた状態を前提としており、スイッチケースの上側とはハンドルバーより上方、前側とは車両に対して前方、後ろ側とは車両に対して後方（運転者と対向する側）を指している。
【００１６】
【発明の実施の形態】
以下、本発明の実施形態について図面を参照しながら具体的に説明する。
本実施形態に係るハンドルスイッチは、図１及び図２に示すように、二輪車が具備する操舵用のハンドルバー１の左側先端に形成された把持グリップ２と隣接して、当該ハンドルバー１に固定されるもので、スイッチケース３に、ディマースイッチノブ４、ターンシグナルスイッチノブ５と、ホーンスイッチボタン６と、パッシングスイッチノブ７とから成る操作スイッチノブ又はボタンが形成されたものである。尚、同図符号８は、チョークを示している。
【００１７】
スイッチケース３は、一対の上下半割り形状部品（上側スイッチケース３ａ及び下側スイッチケース３ｂ）から成るもので、これら上側スイッチケース３ａと下側スイッチケース３ｂとをハンドルバー１を挟持させた状態で合致させ、ボルト締めにより当該ハンドルバー１に位置決め固定（位置決めピンＰによる位置決め及び回り止め有り）されている。
【００１８】
かかるスイッチケース３に配設された各種スイッチノブ又はボタンは、車両が搭載する各種電装品を操作し得るもので、そのうちディマースイッチノブ４は、図３に示すように、軸ピン４ａを中心に揺動自在とされたシーソー型スイッチを構成しており、その揺動と連動するローラ４ｂが一体的に形成されている。このローラ４ｂには、可動接点４ｃが形成されており、ディマースイッチノブ４の揺動動作と連動して、固定接点（図４参照）に接触又は離間してスイッチング（前照灯の前方照射と下方照射との切り換え）が行われるよう構成されている。
【００１９】
ここで、図４に示すように、第１端子板９は、ディマースイッチノブ４に対応すべく、当該ディマースイッチノブ４の可動接点４ｃと接触又は離間し得る固定接点９ａが形成されているとともに、第２端子板１０、連結基板１２、及び第３基板１１と導電板１３を介して電気的及び物理的に連結されている。即ち、各端子板９〜１１に形成された固定接点９ａ〜１１ａは、導電板１３の一部を端子板９〜１１から露出して形成されたものであるので、連結基板１２を含めて電気的な接続がなされているのである。
【００２０】
第２端子板１０は、パッシングスイッチノブ７に対応すべく、当該パッシングスイッチノブ７の左右方向への揺動動作と連動する可動接点（不図示）と接触又は離間し得る固定接点１０ａを具備したもので、右端側から右方へ延びた導電板１３によって第１端子板９と連結されるとともに、下端側から下方へ延びた導電板１３によって連結基板１２と連結されている。
【００２１】
第３端子板１１は、ホーンスイッチボタン６に対応すべく、当該ホーンスイッチボタン６の押圧操作によるスライド動作と連動する可動接点（不図示）と接触又は離間し得る固定接点１１ａを具備したもので、上端側から上方へ延びた導電板１３によって連結基板１２と連結されている。即ち、連結基板１２は、その左端側で第２端子板１０を介して第１端子板９と連結される一方、下端側で第３端子板１１と連結されている。
【００２２】
また、連結基板１２は、後述する第４端子板１４と電気的な接続が行われる接続用接点１２ａが表面に露出形成されているとともに、右端側から右方へ延びる外部接続用端子１３ａが突出形成されている。これら外部接続用端子１３ａと接続用接点１２ａは、固定接点９ａ〜１１ａを含む導電板１３の一部であり、各固定接点９ａ〜１１ａにおける可動接点との接触又は離間された際の電流が、外部接続用端子１３ａに至るよう構成されている。
【００２３】
即ち、導電板１３は、１枚の導電性板材（銅板など）をトリミングして所定形状とされたものであり、固定接点９ａ〜１１ａ及び接続用接点１２ａに対応する部分を露出させつつインサート成形して各端子板９〜１１及び連結基板１２が形成されたものである。また、外部接続用端子１３ａは、所定形状にトリミングされた導電性板材の端部から成るものであり、外部接続用端子１３ａ及び固定接点９ａ〜１１ａは、導電板１３の一部分（特定部分）から成る。かかる構成により、各端子板９〜１１（連結基板１２）を電気的に結ぶリード線などを不要とすることができ、該リードと各端子板９〜１１とを接続するための半田を廃止することができる。
【００２４】
尚、所定形状の導電板１３及び外部接続用端子１３ａを１枚の導電性板材から得る際には、抜き加工機や溶断加工機など種々のトリミング手段を用いることができるが、量産性に有利な点から抜き加工によるトリミングが好ましい。尚、各端子板９〜１１及び連結基板１２を得るためのインサート成形は、所望の樹脂を成形型内に流し込み、該樹脂を冷却固化することにより行われ、その際の成形型の形状（固定端子に対応する位置に突起部を形成しておくなど）により各固定端子９ａ〜１１ａを露出形成している。
【００２５】
一方、第４端子板１４は、ターンシグナルスイッチノブ５に対応すべく、当該ターンシグナルスイッチノブ５に形成された可動端子（不図示）と接触又は離間すべき固定端子１４ａを有しているもので、かかる固定端子１４ａは、図５に示すように、第４端子板１４の表面に露出して形成されている。また、第４端子板１４の下端からは、前述した外部接続用端子１３ａと一対で用いられるべき外部接続用端子１４ｂが下方に向けて突出形成されている。
【００２６】
この外部接続用端子１４ｂ及び固定接点１４ａは、連結基板１２と同様、１枚の導電性板材をトリミングして所定形状としたものの端部である。即ち、１枚の導電性板材を所定形状にトリミングし、固定接点１４ａに対応する部分を露出させつつインサート成形することにより第４端子板１４が形成されており、固定接点１４ａにおける可動接点との接触又は離間された際の電流が、外部接続用端子１４ｂに至るよう構成されている。
【００２７】
また、第４端子板１４は、連結基板１２と重ね合わされてスイッチケース３内に収容される構成とされており、これら２部材が重ね合わされると、接続用接点１２ａによって第４端子板１４と連結基板１２とが電気的に接続され得るよう構成されている。更に、第４端子板１４と連結基板１２とが重ね合わせて配設されると、外部接続用端子１３ａと１４ｂとが上下に並んで突出することとなり、これらを組み合わせた状態で車両側から延びた配線のコネクタと接続され得る。尚、各端子板に形成される回路の数又は各端子板が成すレイアウトによっては、第１〜第４端子板全てを一体的に構成することもできる。
【００２８】
上記した各端子板をスイッチケース３内に収容するには、図４中、導電板１３における第１端子板９と第２端子板１０とを連結した部分１３ｂと、第２端子板１０と連結基板１２とを連結した部分１３ｃと、連結基板１２と第３端子板１１とを連結した部分１３ｄとを所定方向に折り曲げるとともに、連結基板１２上に第４端子板１４を重ねて構成し、図６の如き状態とする。即ち、導電板１３を略コ字状に折り曲げておくのである。同図中、符号１５は導電板１３の一部１３ｃに嵌合固定された位置決め用部材を示している。
【００２９】
かかる略コ字状に折り曲げられたものを、まず下側スイッチケース３ｂ内に収容して位置決め用部材１５にて位置決め固定する。かかる状態では、第３端子板１１及び第４端子板１４における固定接点１１ａと１４ａとが、それぞれホーンスイッチボタン６と連動する可動接点、及びターンシグナルスイッチノブ５と連動する可動接点と対向配置して、接触又は離間し得るよう位置決めされている。
【００３０】
その後、上側スイッチケース３ａを下側スイッチケース３ｂに合致させ、第１端子板９及び第２端子板１０における固定接点９ａと１０ａとが、それぞれディマースイッチノブ４と連動する可動接点（図４における符号４ｃ）、及びパッシングスイッチノブ７と連動する可動接点と対向配置して、接触又は離間し得るよう位置決めされる。
【００３１】
即ち、第１端子板９がスイッチケース３の上側、第２端子板１０がスイッチケース３の前側、第３端子板１１及び第４端子板１４がスイッチケース３の後ろ側を向くよう位置決めしつつ収容することにより、各端子板をスイッチケース３に形成された各種スイッチに対応させることができるのである。ここで、スイッチケースの上側とは、ハンドルバーより上方、前側とは車両に対して前方、後ろ側とは車両に対して後方（運転者と対向する側）を指している。
【００３２】
上記各端子板が収容された状態において、図７に示すように、連結基板１２から突出した下段の外部接続用端子１３ａと第４端子板１４から突出した上段の外部接続用端子１４ｂとが一対となるように組み合わされ、車両側からの配線の先端に形成されたコネクタＣと接続し得るよう構成されている。ここで、図示した外部接続用端子１４ｂには、導電板１３の延設方向と略直交する方向に亘って部位１３ａａ及び１４ａａが形成されているが、これら部位１３ａａ及び１４ａａは、各端子板が形成された後に分断されるものである。
【００３３】
尚、本実施形態においては、２つの外部接続用端子を上下一対としてコネクタＣと接続すべきカプラを形成しているが、導電板１３の形状や連結基板１２の配設位置を変更などして、左右一対とした接続部を形成するようにしてもよい。尚、回路が少ないときなどは、外部接続用端子を１つのみ（上下一対としない）としてもよい。
【００３４】
これにより、図２に示すように、連結基板１２から突出した外部接続用端子１３ａと、第４端子板１４から突出した外部接続用端子１４ｂとを組み合わせてコネクタＣとの接続部を構成することができるので、ハンドルスイッチの車両への組み付け時、各端子板と車両側から延びた配線との接続を簡単に行うことができるとともに、各端子板同士の接続部に加え、コネクタＣとの接続部においても半田を廃止することができる。
【００３５】
以上、本実施形態について説明したが、本発明はこれに限定されるものではなく、例えば導電板における各端子板又は連結基板を連結する部分に絶縁のためのコーティングや被覆を施してもよく、導電性を向上させるべく導電板の材質を種々変更してもよい。
【００３６】
また、コネクタＣと接続される外部接続用端子は、本実施形態においては上下一対のものから構成されているが、当該外部接続用端子が突設された３つ以上の端子板及び連結基板を並列に配設し、それらを１組としてコネクタＣとの接続部を構成してもよい。勿論、連結基板からのみ外部接続用端子を突設し、これとコネクタＣとを接続するよう構成してもよい。
【００３７】
更に、本実施形態においては、連結基板１２を介して第１端子板９，第２端子板１０及び第３端子板１１を連結し、外部接続用端子１３ａに対する電気的接続を図っているが、連結されるべきもの全てを固定接点を有する端子板とし、そのうちの１つから外部接続用端子を突設するようにしてもよい。
【００３８】
然るに、本実施形態の如く連結板に外部接続用端子を有した構成によれば、当該外部接続用端子の突出を所望位置とすることができる。即ち、固定接点が形成された端子板は、操作スイッチノブ又はボタンと対応した位置に配設する必要があるため、外部接続用端子の突出位置を考慮した所望位置に配設することが困難であるのに対し、連結基板１２には固定接点が形成されておらず、その配設位置も比較的自由に決定することができるので、外部接続用端子を突出させたい位置に当該連結基板１２を配設させることが容易である。
【００３９】
尚、導電板１３の曲げ形状は、スイッチケース３の収容空間や各操作スイッチノブ又はボタンの配設位置等によって任意に変更することができる。また、本実施形態に係るハンドルスイッチは、二輪車におけるハンドルバーの左側に固定されたものであるが、右側に固定されたハンドルスイッチにも適用することができる。更に、本実施形態においては、二輪車のハンドルバーに固定されるハンドルスイッチに適用されているが、他のハンドルバーを有する車両（雪上車やＡＴＶなど）におけるハンドルスイッチにも適用することができる。
【００４０】
【発明の効果】
請求項１の発明によれば、各端子板同士は導電板によって接続され、且つ、車両から延設した配線コード先端とは、該配線コード先端に形成されたコネクタと外部接続用端子とが接続する構成とされているため、各端子板の電気的接続における半田を廃止し得るとともに、車両から延設された配線コードと端子板との接続においても半田を廃止することができる。また、請求項１の発明によれば、導電板によって各端子板を連結しつつ連結板が連結されて、該連結板に外部接続用端子を有しているので、当該外部接続用端子の突出を所望位置とすることができる。
【００４１】
請求項２の発明によれば、導電板が、１枚の導電性板材をトリミングして所望形状とされたものであるので、簡単な構成にて端子板の連結が図れるとともに、固定接点に対応する部分を露出させつつインサート成形して各端子板が形成されているので、各固定接点間において確実に導電性を確保することができる。
【００４３】
請求項３の発明によれば、外部接続用端子が形成された端子板を複数設け、それぞれから突設された外部接続用端子を組み合わせた状態でコネクタと接続し得る構成とされているので、これら外部接続用端子の組み合わせによって、コネクタ形状及び外部接続用端子のレイアウトを所望のものとすることができる。
【００４４】
請求項４の発明によれば、導電板を略コ字状に折り曲げて、複数の端子板をスイッチケース内に収容したので、当該スイッチケース内の空間を有効的に利用して複数の端子板を内在させることができる。
【００４５】
請求項５の発明によれば、スイッチケースに形成された種々スイッチに対応させて各々の端子板を配置することができるので、従来のスイッチケースのレイアウトを変更することなく、本発明を適用することができる。
【図面の簡単な説明】
【図１】本発明の実施形態に係るハンドルスイッチを示す正面図
【図２】同右側面図
【図３】図１におけるＩＩＩ−ＩＩＩ線断面図
【図４】本発明の実施形態に係るハンドルスイッチにおける複数の端子板、連結基板、及びそれらを連結する導電板（外部接続用端子を含む）を示す模式図（導電板が折り曲げられる前の状態）
【図５】本発明の実施形態に係るハンドルスイッチにおける他の端子板及び外部接続用端子とを示す模式図
【図６】本発明の実施形態に係るハンドルスイッチにおける複数の端子板、連結基板及びそれらを連結する導電板を示す模式図（導電板が折り曲げられた後であって図５の端子板が取り付けられた状態）
【図７】本発明の実施形態に係るハンドルスイッチにおける上下一対で構成された外部接続用端子を示す斜視図
【符号の説明】
１…ハンドルバー
２…把持グリップ
３…スイッチケース
３ａ…上側スイッチケース
３ｂ…下側スイッチケース
４…ディマースイッチノブ
５…ターンシグナルスイッチノブ
６…ホーンスイッチボタン
７…パッシングスイッチノブ
８…チョーク
９…第１端子板
１０…第２端子板
１１…第３端子板
１２…連結基板
１４…第４端子板
９ａ、１０ａ、１１ａ、１４ａ…固定接点
１３ａ、１４ｂ…外部接続用端子
１５…位置決め用部材
【図１】
0004017444.tif 000002
【図２】
0004017444.tif 000003
【図３】
0004017444.tif 000004
【図４】
0004017444.tif 000005
【図５】
0004017444.tif 000006
【図６】
0004017444.tif 000007
【図７】
0004017444.tif 000008